(57)【特許請求の範囲】
【請求項１】
演出画像を表示する画像表示装置を備えた遊技機において、
前記画像表示装置は、左右に分割された２つの画像表示部と、前記左右の画像表示部をそれぞれ左右方向にスライド移動させるスライド移動機構とを有し、
前記左右の画像表示部は、前記左右の画像表示部にそれぞれ接続された帯状ケーブルを介して画像制御基板からの画像制御信号を受信し、その画像制御信号に基づいて前記演出画像を表示するように構成され、
前記帯状ケーブルは、前記左右の画像表示部のスライド移動範囲における略中央部に集合され、前記略中央部から左右に分かれて前記左右の画像表示部にそれぞれ接続され、
前記画像表示装置は、前記左右の画像表示部のいずれか一方に設けられた透過型のフォトセンサと、前記左右の画像表示部の他方に設けられた検出部材とを有し、
前記左右の画像表示部がスライド移動して互いに近づいたときに、前記検出部材が前記フォトセンサの発光素子と受光素子の間を遮るように配置構成され、
前記フォトセンサからの検出信号に基づいて、前記左右の画像表示部を近接させるスライド移動制御を行うように構成されたことを特徴とする遊技機。
【発明の詳細な説明】
【技術分野】
【０００１】
本発明は、ぱちんこ遊技機等の遊技機に関する。
【背景技術】
【０００２】
弾球遊技機の一例であるぱちんこ遊技機には、遊技盤の遊技領域の略中央にセンター飾りを配置し、このセンター飾りに液晶ディスプレイ等からなる演出表示装置が設けられたものが知られている（例えば、特許文献１を参照）。このようなぱちんこ遊技機は、遊技領域内に設けられた始動入賞口に遊技球が入球したことを契機として、演出表示装置において複数の図柄（装飾図柄）を変動させた後に停止表示した図柄の組み合わせが予め設定された大当り図柄であった場合に、特別遊技状態（大当り）を成立させるように構成されている。特別遊技状態においては、遊技領域内に設けられたアタッカーと称される大入賞口を開放して遊技球の入球を容易にし、この大入賞口への遊技球の入球により遊技者が大量の賞球を獲得できるようになっている。
【０００３】
最近のぱちんこ遊技機では、上記液晶ディスプレイの前方位置において、遊技展開に応じて演出動作する演出可動役物や、左右にスライド移動する左右一対のサブ液晶ディスプレイが設けられたぱちんこ遊技機が増えている（例えば、特許文献２を参照）。また、遊技盤が透明な樹脂材料によって形成されたぱちんこ遊技機も増えている。
【先行技術文献】
【特許文献】
【０００４】
【特許文献１】特開２００１‐９６０１９号公報
【特許文献２】特許第５４０６３５２号
【発明の概要】
【発明が解決しようとする課題】
【０００５】
上記のようなサブ液晶ディスプレイを備える弾球遊技機では、遊技盤の後面側に設けられた演出制御基板とサブ液晶ディスプレイとが一般的にケーブルハーネスを用いて電気接続されているが、サブ液晶ディスプレイが左右にスライド移動するため、その移動機構部にケーブルハーネスが接触するとケーブルハーネスが損傷して断線することがある。そのため、ケーブルハーネスを保護するとともに、サブ液晶ディスプレイが円滑にスライド移動可能な構造が必要である。
【０００６】
本発明は、このような課題に鑑みてなされたものであり、スライド移動する液晶ディスプレイに繋がるケーブルハーネスを保護するとともに、液晶ディスプレイが円滑にスライド移動可能な遊技機を提供することを目的とする。
【課題を解決するための手段】
【０００７】
このような目的達成のため、本発明に係る遊技機は、演出画像を表示する画像表示装置（例えば、実施形態における演出表示装置１００）を備えた遊技機において、前記画像表示装置は、左右に分割された２つの画像表示部（例えば、実施形態における第２液晶パネル１２１Ｌ，１２１Ｒ）と、前記左右の画像表示部をそれぞれ左右方向にスライド移動させるスライド移動機構とを有し、前記左右の画像表示部は、前記左右の画像表示部にそれぞれ接続された帯状ケーブル（例えば、実施形態におけるＦＦＣ１２６Ｌ，１２６Ｒ）を介して画像制御基板（例えば、実施形態における副制御基板４１）からの画像制御信号を受信し、その画像制御信号に基づいて前記演出画像を表示するように構成される。そして、前記帯状ケーブルは、前記左右の画像表示部のスライド移動範囲における略中央部（例えば、実施形態におけるケーブル挿通孔１４６）に集合され、前記略中央部から左右に分かれて前記左右の画像表示部にそれぞれ接続され、前記画像表示装置は、前記左右の画像表示部のいずれか一方に設けられた透過型のフォトセンサと、前記左右の画像表示部の他方に設けられた検出部材とを有し、前記左右の画像表示部がスライド移動して互いに近づいたときに、前記検出部材が前記フォトセンサの発光素子と受光素子の間を遮るように配置構成され、前記フォトセンサからの検出信号に基づいて、前記左右の画像表示部を近接させるスライド移動制御を行うように構成されたことを特徴とする。
【発明の効果】
【０００８】
上記のように構成された本発明に係る遊技機によれば、スライド移動する液晶ディスプレイに繋がるケーブルハーネスを保護することができるとともに、液晶ディスプレイを円滑にスライド移動させることができる。
【図面の簡単な説明】
【０００９】
【図１】ぱちんこ遊技機の正面図である。
【図２】ぱちんこ遊技機の背面図である。
【図３】遊技盤の正面図である。
【図４】遊技盤の背面図である。
【図５】第２液晶ユニットの正面図である。
【図６】第２液晶ユニットの正面斜視図である。
【図７】第２液晶ユニットの背面斜視図である。
【図８】第２液晶ユニットのスライド機構の斜視図である。
【図９】図５における矢印Ａ‐Ａ部分の断面図である。
【図１０】第２液晶ユニットを構成する画像表示接続Ｂ基板とケーブル係止部材を示す斜視図である。
【図１１】第２液晶ユニットを構成する左右の画像表示接続Ｃ基板に設けられた第１フォトセンサおよび第１検出部材を示す正面図であり、（ａ）は左右の画像表示接続Ｃ基板が離れた状態の正面図、（ｂ）は左右の画像表示接続Ｃ基板が近づいた状態の正面図である。
【図１２】第１および第２液晶ユニットの制御構成を示すブロック図である。
【図１３】第２液晶ユニットを構成する左右の第２液晶パネルがスライド移動したときの状態を示す模式図であり、（ａ）は左右の第２液晶パネルが略中央にスライド移動した状態の模式図、（ｂ）は左右の第２液晶パネルが左端側にスライド移動した状態の模式図、（ｃ）は左右の第２液晶パネルが右端側にスライド移動した状態の模式図である。
【図１４】ぱちんこ遊技機の遊技制御構成を示すブロック図である。
【発明を実施するための形態】
【００１０】
以下、本発明の好ましい実施形態について図面を参照して説明する。本実施形態に係る弾球遊技機の一例としてぱちんこ遊技機ＰＭを図１および図２に示しており、まず、これらの図を参照してぱちんこ遊技機ＰＭの全体構成について説明する。
【００１１】
［ぱちんこ遊技機の全体構成］
始めに、ぱちんこ遊技機ＰＭの前面側の基本構造を説明する。ぱちんこ遊技機ＰＭは、図１に示すように、外郭方形枠サイズに構成された縦向きの固定保持枠をなす外枠１と、これに合わせた方形枠サイズに構成されて開閉搭載枠をなす前枠２とを有して構成される。前枠２は、外枠１および前枠２の左側縁部に配設された上下のヒンジ機構３により、外枠１の前側開口部に対して横開き開閉および着脱が可能に取り付けられる。また、前枠２は、右側縁部に設けられたダブル錠と称される施錠装置４を利用して、常には外枠１と係合連結された閉鎖状態に保持される。
【００１２】
前枠２の前面側には、この前枠２の上部前面域に合わせた方形状のガラス枠５が上下のヒンジ機構３を利用して横開き開閉および着脱可能に組み付けられる。ガラス枠５は、上述の施錠装置４を利用して、常には前枠２の前面を覆う閉鎖状態に保持される。前枠２の
上側に設けられた収容枠に遊技盤１０が着脱可能にセット保持され、常には閉鎖保持されるガラス枠５の複層ガラス５ａを通して、遊技盤１０の前面に設けられた遊技領域ＰＡを視認可能に臨ませるようになっている。
【００１３】
ガラス枠５の下部前面側には、遊技球を貯留する上球皿６および下球皿７が設けられる。上球皿６の上部には、遊技者が操作入力する操作ボタン９が設けられている。なお、ガラス枠５の上部前面側には、発光ダイオード（ＬＥＤ）やランプ等を備える電飾装置や、遊技の展開状態に応じて効果音を発生させるスピーカ等が適宜設けられるが、図１においてはこれらを取り外した状態を示している。
【００１４】
前枠２の右下部には、遊技球の発射操作を行う発射ハンドル８が設けられる。なお、図示を省略するが、前枠２の下部におけるガラス枠５（上下の球皿６，７）の後側には、上球皿６に貯留された遊技球を１球ずつ送り出す整流器、この整流器から送り出された遊技球を遊技領域ＰＡに向けて打ち出す発射機構、この発射機構の作動を制御する発射制御基板等が設けられる。
【００１５】
続いて、ぱちんこ遊技機ＰＭの後面側の基本構造を説明する。図２に示すように、前枠２の後面側には、中央に前後連通する窓口を有して前枠２よりも幾分小型の矩形枠状に形成された裏機構盤３０が取り付けられている。裏機構盤３０の各部には、遊技施設側から供給される遊技球を貯留する遊技球貯留タンク３３、遊技球貯留タンク３３から供給される遊技球を流下させる樋部材３４、樋部材３４を流下する遊技球を払い出す賞球払出ユニット３５、賞球払出ユニット３５から払い出された遊技球を上球皿６もしくは下球皿７に流下させる裏側通路部材等が設けられている。
【００１６】
遊技盤１０の後面側には、ぱちんこ遊技機ＰＭの作動を統括的に制御する主制御基板４０や、遊技展開に応じた画像表示、効果照明、効果音等の演出全般の制御を行う副制御基板４１が取り付けられている。裏機構盤３０の後面下部には、遊技球の払い出しに関する制御を行う払出制御基板４２や、遊技施設側から受電して各種制御基板や電気・電子部品に電力を供給する電源基板４３や、電源スイッチ４４が取り付けられている。裏機構盤３０の後面上部には、主制御基板４０や払出制御基板４２等からの信号をぱちんこ遊技機ＰＭの外部の機器へ中継する外部中継端子基板４５が取り付けられている。これらの制御基板とぱちんこ遊技機ＰＭ各部の電気・電子部品とがケーブルハーネスで電気接続されて、ぱちんこ遊技機ＰＭが作動可能に構成されている。
【００１７】
ぱちんこ遊技機ＰＭは、外枠１が遊技施設の遊技島（設置枠台）に固定設置され、前枠２、ガラス枠５等が閉鎖施錠された状態で遊技に供され、上球皿６に遊技球を貯留させて発射ハンドル８を回動操作することにより遊技が開始される。発射ハンドル８が回動操作されると、上球皿６に貯留された遊技球が、整流器によって１球ずつ発射機構に送り出され、発射機構により遊技領域ＰＡに打ち出されて、以降パチンコゲームが展開される。
【００１８】
［遊技盤の構成］
次に、図３〜図１３を参照して、前枠２の収容枠に着脱可能にセット保持される遊技盤１０の詳細について説明する。遊技盤１０は、図３に示すように、透明な樹脂材料等を用いて板状に形成され、遊技盤１０の前面に略円形状の遊技領域ＰＡを形成する内レール１１および外レール（図示せず）を有するレール飾りが取り付けられている。
【００１９】
遊技盤１０の遊技領域ＰＡには、多数本の遊技釘や風車（図示せず）とともに、遊技球が流入可能な一般入賞装置１３、始動入賞装置１４、大入賞装置１５等の各種入賞装置が配設されている。遊技領域ＰＡの略中央部には前後に貫通した窓部１０ａが形成されており、この窓部１０ａを介して遊技盤１０の後面側に設けられた演出表示装置１００の表示
画面が視認可能になっている。遊技盤１０の後面側上部には、演出表示装置１００の前方において遊技展開に応じて演出動作を行う演出可動装置２０が設けられている。また、窓部１０ａの周囲には装飾部材が設けられている。遊技領域ＰＡの中央下端部には、遊技盤１０を前後に貫通して遊技球が通過可能なアウト口１８が形成されている。遊技盤１０の下端部には図柄表示装置２５が設けられている。
【００２０】
一般入賞装置１３は、上方に開口して遊技球が流入可能な一般入賞口（図示せず）と、この一般入賞口に流入した遊技球を検出する一般入賞センサ１３ｓ（図１４を参照）とを有し、一般入賞センサ１３ｓにより検出された後に遊技球を遊技盤１０の後面側に排出させるように構成される。一般入賞センサ１３ｓは、一般入賞口への遊技球の入球時にその入球を示す一般入賞信号を生成し、その一般入賞信号を後述する遊技制御装置２００に送信する。
【００２１】
始動入賞装置１４は、上方に開口して遊技球が流入可能な始動入賞口（図示せず）と、この始動入賞口に流入した遊技球を検出する始動入賞センサ１４ｓ（図１４を参照）とを有し、始動入賞センサ１４ｓにより検出された後に遊技球を遊技盤１０の後面側に排出させるように構成される。始動入賞センサ１４ｓは、始動入賞口への遊技球の入球時にその入球を示す始動入賞信号を生成し、その始動入賞信号を後述する遊技制御装置２００に送信する。
【００２２】
大入賞装置１５は、上方に開口して遊技球が流入可能な横長方形状の大入賞口（図示せず）と、この大入賞口を開閉可能なスライド扉（図示せず）と、このスライド扉を開閉作動させる大入賞ソレノイド１５ｂ（図１４を参照）と、大入賞口に流入した遊技球を検出する大入賞センサ１５ｓ（図１４を参照）とを有し、大入賞センサ１５ｓにより検出された後に遊技球を遊技盤１０の後面側に排出させるように構成される。上記スライド扉は、遊技盤１０の盤面に対して直交する方向（前後方向）にスライド移動可能に設けられ、大入賞ソレノイド１５ｂによって前後方向にスライド移動することにより大入賞口を開閉するように構成されている。
【００２３】
大入賞装置１５は、図柄表示装置２５に表示される特別図柄が所定の大当たり態様にて停止したときに「大当たり」として、大入賞ソレノイド１５ｂによりスライド扉を開放作動させ、大入賞口に遊技球が流入可能な状態となるように制御される。大入賞センサ１５ｓは、大入賞口への遊技球の入球時にその入球を示す大入賞信号を生成し、その大入賞信号を後述する遊技制御装置２００に送信する。
【００２４】
遊技盤１０の後面側には、遊技展開に応じた演出画像や、特別図柄によって示される当否抽選の結果表示を視覚的に演出するための装飾図柄の変動を表示する演出表示装置１００が設けられている。演出表示装置１００の後面側には、図２および図４に示すように、遊技展開に応じた画像表示、効果照明、効果音等の演出全般の制御を行う副制御基板４１と、副制御基板４１から演出表示装置１００に出力される制御信号を中継する画像中継基板８０と、副制御基板４１から遊技盤１０に設けられた演出可動装置２０等の遊技演出装置に出力される制御信号を中継するインターフェース基板８５とが設けられている。副制御基板４１および画像中継基板８０の後面側には、こられの基板４１，８０の後面を覆う第１基板カバー４８が取り付けられている。インターフェース基板８５の後面側には、インターフェース基板８５の後面を覆う第２基板カバー４９が取り付けられている。
【００２５】
画像中継基板８０は、副制御基板４１の下方に並んで配置され、ボード・トゥ・ボードコネクタ（図示せず）によって副制御基板４１と電気接続される。画像中継基板８０にはケーブルコネクタ８２が実装されており、このケーブルコネクタ８２に接続されるケーブルハーネスを介して演出表示装置１００と電気接続される。インターフェース基板８５は
、副制御基板４１の背面視右方に並んで配置され、ボード・トゥ・ボードコネクタ（図示せず）によって副制御基板４１と電気接続される。インターフェース基板８５には、遊技盤１０に設けられた演出可動装置２０等の遊技演出装置に対応した数のケーブルコネクタ（図示せず）が実装されており、これらのケーブルコネクタに接続されるケーブルハーネスを介してそれぞれの遊技演出装置と電気接続される。
【００２６】
演出表示装置１００は、図３に示すように、第１液晶ユニット１１０と、第１液晶ユニット１１０の前方であって遊技盤１０との間の位置に配設される第２液晶ユニット１２０とを有して構成される。第１液晶ユニット１１０は、遊技盤１０の窓部１０ａの略全体に亘る大きさの矩形状の第１液晶パネル１１１と、画像表示接続Ａ基板１１２（図１２を参照）とを有して構成される。画像表示接続Ａ基板１１２は、画像中継基板８０および第１液晶パネル１１１とそれぞれケーブルハーネスを用いて電気接続されており、副制御基板４１から画像中継基板８０を介して出力される制御信号を受信し、その受信した制御信号を第１液晶パネル１１１に送信して、第１液晶パネル１１１に遊技展開に応じた演出画像や装飾図柄を変動表示させる。
【００２７】
第２液晶ユニット１２０は、図５〜図７に示すように、左右に分割された２枚（左右一対）の第２液晶パネル１２１Ｌ，１２１Ｒと、左右一対の第２液晶パネル１２１Ｌ，１２１Ｒをそれぞれ左右方向にスライド移動させるスライド移動機構１３０と、第１液晶ユニット１１０の画像表示接続Ａ基板１１２とケーブルハーネスを用いて電気接続される画像表示接続Ｂ基板１２４と、画像表示接続Ｂ基板１２４とそれぞれ電気接続される左右２つの画像表示接続Ｃ基板１５０Ｌ，１５０Ｒとを有して構成される。
【００２８】
左右の第２液晶パネル１２１Ｌ，１２１Ｒはそれぞれ、第１液晶表示パネル１１１よりも左右寸法の小さな矩形状の液晶パネルであり、副制御基板４１から出力される制御信号を受信して遊技展開に応じた演出画像を表示する。左第２液晶パネル１２１Ｌの前面における上下および左縁部には、複数のＬＥＤ１２２Ｌ（発光ダイオード）と、複数のＬＥＤ１２１Ｌの前面側を覆うように取り付けられる装飾カバー（図示せず）とが取り付けられている。右第２液晶パネル１２１Ｌの前面における上下および右縁部にも、複数のＬＥＤ１２２Ｒ（発光ダイオード）と、複数のＬＥＤ１２１Ｒの前面側を覆うように取り付けられる装飾カバー（図示せず）とが取り付けられている。なお、図５等においては、この装飾カバーを取り外した状態を示している。
【００２９】
スライド移動機構１３０は、図８にも示すように、左右方向に延びる上下一対のスライドレール１３１Ｕ，１３１Ｄと、左右一対の第２液晶パネル１２１Ｌ，１２１Ｒにそれぞれ設けられる左右２つの電動モータ１３５Ｌ，１３５Ｒ（ステッピングモータ）と、左右の電動モータ１３５Ｌ，１３５Ｒの回転動力を用いて左右の第２液晶パネル１２１Ｌ，１２１Ｒをそれぞれスライドレール１３１Ｕ，１３１Ｄに沿ってスライド移動させるラックアンドピニオン機構１３６とを有して構成される。
【００３０】
上スライドレール１３１Ｕは、左右方向に延びる直線状のレール部材である。上スライドレール１３１Ｕには、左右２つの上スライダー部材１３２Ｌ，１３２Ｒが上スライドレール１３１Ｕに沿ってスライド移動可能に嵌合されている。下スライドレール１３１Ｄは、左右方向に直線状に延び、左右の端部がそれぞれ前方にカーブ（湾曲）した形状のレール部材である。下スライドレール１３１Ｄには、左右２つの下スライダー部材１３３Ｌ，１３３Ｒが下スライドレール１３１Ｄに沿ってスライド移動可能に嵌合されている。左第２液晶パネル１２１Ｌの右側上下端部がそれぞれ、上下の左スライダー部材１３２Ｌ，１３３Ｌに対して上下軸まわりに回転自在に取り付けられている。左第２液晶パネル１２１Ｌの左側下端部は、下スライドレール１３１Ｄにスライド移動可能に嵌合されている。左第２液晶パネル１２１Ｌは、このように上下のスライドレール１３１Ｕ，１３１Ｄに取り
付けられているため、上下のスライドレール１３１Ｕ，１３１Ｄに沿って左右にスライド移動可能であるとともに、上下のスライドレール１３１Ｕ，１３１Ｄの左端側にスライド移動されたときには、左第２液晶パネル１２１Ｌの左側が前方に揺動されるように構成されている（図６を参照）。また、左第２液晶パネル１２１Ｌは、上下のスライドレール１３１Ｕ，１３１Ｄの左右中央部よりも右方側にもスライド移動可能に構成されている。上下の左スライダー部材１３２Ｌ，１３３Ｌは、後面側に取り付けられた連結部材１３９によって連結されている（図７を参照）。
【００３１】
左下スライダー部材１３３Ｌには、左画像表示接続Ｃ基板１５０Ｌが固定され、その左画像表示接続Ｃ基板１５０Ｌの下方に左電動モータ１３５Ｌが固定されている。そのため、左画像表示接続Ｃ基板１５０Ｌおよび左電動モータ１３５Ｌも、左第２液晶パネル１２１Ｌとともに上下のスライドレール１３１Ｕ，１３１Ｄに沿って左右にスライド移動するようになっている。
【００３２】
右第２液晶パネル１２１Ｒは、左第２液晶パネル１２１Ｌと同様に、右第２液晶パネル１２１Ｒの左側上下端部がそれぞれ、上下の右スライダー部材１３２Ｒ，１３３Ｒに対して上下軸まわりに回転自在に取り付けられている。右第２液晶パネル１２１Ｒの右側下端部は、下スライドレール１３１Ｄにスライド移動可能に嵌合されている。右第２液晶パネル１２１Ｒは、このように上下のスライドレール１３１Ｕ，１３１Ｄに取り付けられているため、上下のスライドレール１３１Ｕ，１３１Ｄに沿って左右にスライド移動可能であるとともに、上下のスライドレール１３１Ｕ，１３１Ｄの右端側にスライド移動されたときには、右第２液晶パネル１２１Ｒの右側が前方に揺動されるように構成されている（図６を参照）。また、右第２液晶パネル１２１Ｒは、上下のスライドレール１３１Ｕ，１３１Ｄの左右中央部よりも左方側にもスライド移動可能に構成されている。上下の右スライダー部材１３２Ｒ，１３３Ｒは、後面側に取り付けられた連結部材１３９によって連結されている（図７を参照）。
【００３３】
右下スライダー部材１３３Ｒには、右画像表示接続Ｃ基板１５０Ｒが固定され、その右画像表示接続Ｃ基板１５０Ｒの下方に右電動モータ１３５Ｒが固定されている。そのため、右画像表示接続Ｃ基板１５０Ｒおよび右電動モータ１３５Ｒも、右第２液晶パネル１２１Ｒとともに上下のスライドレール１３１Ｕ，１３１Ｄに沿って左右にスライド移動するようになっている。
【００３４】
ラックアンドピニオン機構１３６は、左右の電動モータ１３５Ｌ，１３５Ｒの回転軸にそれぞれ固定された左右のピニオンギヤ１３７Ｌ，１３７Ｒ（円形平歯車）と、左右方向に直線状に延びて左右のピニオンギヤ１３７Ｌ，１３７Ｒと噛み合う歯が形成されたラック部材１３８とを有して構成される。ラックアンドピニオン機構１３６は、左電動モータ１３５Ｌが駆動されて左ピニオンギヤ１３７Ｌが回転されると、左ピニオンギヤ１３７Ｌとラック部材１３８の噛み合いにより、左電動モータ１３５の回転動力がラック部材１３８に沿った方向（左右方向）の力に変換され、この力によって左電動モータ１３５Ｌ、左画像表示接続Ｃ基板１５０Ｌおよび左第２液晶パネル１２１Ｌを上下のスライドレール１３１Ｕ，１３１Ｄに沿って左右にスライド移動させるように構成されている。また、ラックアンドピニオン機構１３６は、上記同様に、右電動モータ１３５Ｒ、右画像表示接続Ｃ基板１５０Ｒおよび右第２液晶パネル１２１Ｒを上下のスライドレール１３１Ｕ，１３１Ｄに沿って左右にスライド移動させるように構成されている。
【００３５】
左右の画像表示接続Ｃ基板１５０Ｌ，１５０Ｒの後面側には、左右方向に延びるガイドレール１４１が設けられており、左右の画像表示接続Ｃ基板１５０Ｌ，１５０Ｒの後面側にそれぞれ取り付けられた左右のガイドスライダー１４２Ｌ，１４２Ｒがガイドレール１４１にスライド移動可能に嵌合されている。このガイドレール１４１およびガイドスライ
ダー１４２Ｌ，１４２Ｒにより、上述したスライド移動機構１３０による左右の第２液晶パネル１２１Ｌ，１２１Ｒおよび左右の画像表示接続Ｃ基板１５０Ｌ，１５０Ｒのスライド移動をガイドして安定したスライド移動をさせるようになっている。
【００３６】
ガイドレール１４１の上方であって下スライドレール１３１Ｄとの間の位置には、左右方向に延びるケーブル敷設壁部１４５が設けられている。ケーブル敷設壁部１４５には、下スライドレール１３１の左右略中央の下方位置において、前後に貫通するケーブル挿通孔１４６が形成されている。
【００３７】
画像表示接続Ｂ基板１２４は、図７に示すように、ケーブル敷設壁部１４５の後面の右側下方に設けられている。画像表示接続Ｂ基板１２４には、第１コネクタ１２４ａおよび第２コネクタ１２４ｂが実装されており、画像表示接続Ｂ基板１２４は、第１および第２コネクタ１２４ａ，１２４ｂにそれぞれ接続されるケーブルハーネス（図７では図示していない）を用いて第１液晶ユニット１１０の画像表示接続Ａ基板１１２に電気接続される。また、画像表示接続Ｂ基板１２４には、第３コネクタ１２４ｃおよび第４コネクタ１２４ｄが実装されており、画像表示接続Ｂ基板１２４は、第３および第４コネクタ１２４ｃ，１２４ｄにそれぞれ接続されるケーブルハーネスを用いて左右の画像表示接続Ｃ基板１５０Ｌ，１５０Ｒにそれぞれ電気接続されている。ここで、画像表示接続Ｂ基板１２４と左右の画像表示接続Ｃ基板１５０Ｌ，１５０Ｒをそれぞれ電気接続させるケーブルハーネスは、フレキシブルフラットケーブル１２６Ｌ，１２６Ｒ（平板型の導体を複数本並べて被覆した、可撓性を有するリボン状のケーブル）が用いられている。
【００３８】
画像表示接続Ｂ基板１２４は、副制御基板４１から出力される左第２液晶パネル１２１Ｌの画像制御信号、左電動モータ１３５Ｌの駆動制御信号、および複数のＬＥＤ１２２Ｌの発光制御信号を、画像中継基板８０、画像表示接続Ａ基板１１２および第１コネクタ１２４ａに接続されるケーブルハーネスを介して受信し、その受信した各制御信号を第３コネクタ１２４ｃに接続される左フレキシブルフラットケーブル１２６Ｌ（以下、左ＦＦＣ１２６Ｌと称する）を介して左画像表示接続Ｃ基板１５０Ｌに送信する。左ＦＦＣ１２６Ｌ内には、画像制御信号、モータ制御信号およびＬＥＤ制御信号をそれぞれ通信するための複数の通信線（導体）が設けられている。
【００３９】
また、画像表示接続Ｂ基板１２４は、副制御基板４１から出力される右第２液晶パネル１２１Ｒの画像制御信号、右電動モータ１３５Ｒの駆動制御信号、および複数のＬＥＤ１２２Ｒの発光制御信号を、画像中継基板８０、画像表示接続Ａ基板１１２および第２コネクタ１２４ｂに接続されるケーブルハーネスを介して受信し、その受信した制御信号を第４コネクタ１２４ｄに接続される右フレキシブルフラットケーブル１２６Ｒ（以下、右ＦＦＣ１２６Ｒと称する）を介して右画像表示接続Ｃ基板１５０Ｒに送信する。右ＦＦＣ１２６Ｒ内には、画像制御信号、モータ制御信号およびＬＥＤ制御信号をそれぞれ通信するための複数の通信線（導体）が設けられている。なお、左右のＦＦＣ１２６Ｌ，１２６Ｒ内において、画像制御信号の通信線とモータ制御信号の通信線とをできるだけ離して配置させており、これにより画像制御信号にモータ制御信号からのノイズが入ることを防ぐようにしている。また、右ＦＦＣ１２６内には、後述する第１フォトセンサ１５５の検出信号を通信するための通信線も設けられている。
【００４０】
第３および第４コネクタ１２４ｃ，１２４ｄに接続された左右のＦＦＣ１２６Ｌ，１２６Ｒは、図７および図９に示すように、ケーブル敷設壁部１４５の後面に沿って左方に延びるように配線（敷設）され、下スライドレール１３１の左右略中央の下方位置においてケーブル敷設壁部１４５に形成されたケーブル挿通孔１４６を通ってケーブル敷設壁部１４５の前面側に配線される。そして、図５および図９に示すように、左ＦＦＣ１２６Ｌは、ケーブル敷設壁部１４５の前面に沿ってケーブル敷設壁部１４５の左端部まで左方に延
び、右方に折り返されて左画像表示接続Ｃ基板１５０Ｌの後面に設けられたコネクタ１５４Ｌ（図１２を参照）に接続されている。また、右ＦＦＣ１２６Ｒは、ケーブル敷設壁部１４５の前面に沿ってケーブル敷設壁部１４５の右端部まで右方に延び、左方に折り返されて右画像表示接続Ｃ基板１５０Ｒの後面に設けられたコネクタ１５４Ｒ（図１２を参照）に接続されている。
【００４１】
ケーブル敷設壁部１４５の前面には、ケーブル挿通孔１４６の左右両側の位置に、左右２つずつのケーブル固定部材１４７Ｌ，１４７Ｒが設けられており、これらのケーブル固定部材１４７Ｌ，１４７Ｒにより左右のＦＦＣ１２６Ｌ，１２６Ｒをそれぞれケーブル敷設壁部１４５の前面に押さえつけて固定するようになっている。また、ケーブル敷設壁部１４５の前面の左右端部側には、ゴム部材等からなる左右に延びる矩形シート状の滑り止め部材１４８Ｌ，１４８Ｒがそれぞれ貼り付けられており、左右の滑り止め部材１４８Ｌ，１４８Ｒの表面を通って左右のＦＦＣ１２６Ｌ，１２６Ｒがそれぞれ配線されている。この左滑り止め部材１４８Ｌにより、左第２液晶パネル１２１Ｌが右方にスライド移動されたときに、左ＦＦＣ１２６Ｌの左端側がケーブル敷設壁部１４５の前面から捲れ上がることを防止している。また同様に、右滑り止め部材１４８Ｒにより、右第２液晶パネル１２１Ｒが左方にスライド移動されたときに、右ＦＦＣ１２６Ｌの右端側がケーブル敷設壁部１４５の前面から捲れ上がることを防止している。
【００４２】
ケーブル敷設壁部１４５の後面には、画像表示接続Ｂ基板１２４の第３および第４コネクタ１２４ｃ，１２４ｄの上方位置に、第３および第４コネクタ１２４ｃ，１２４ｄに接続される左右のＦＦＣ１２６Ｌ，１２６Ｒを係止するケーブル係止部材１４９が取り付けられている。ケーブル係止部材１４９は、右方に延びる左ＦＦＣ１２６Ｌの右端部を前方下方に略４５度折り返した部分を上方から差し込んで係止する左ケーブル係止部１４９Ｌと、右方に延びる右ＦＦＣ１２６Ｒの右端部を前方下方に略４５度折り返し、その折り返した部分をさらに前方に折り返した部分を上方から差し込まれて係止する右ケーブル係止部１４９Ｒとを有して構成される。なお、上記のように左右のＦＦＣ１２６Ｌ，１２６Ｒを折り返すのは、左右のＦＦＣ１２６Ｌ，１２６Ｒの同じ面を後方に向けた状態で第３および第４コネクタ１２４ｃ，１２４ｄに接続させるためである。
【００４３】
左画像表示接続Ｃ基板１５０Ｌには、図１２に示すように、画像ノイズ除去回路１５１Ｌ、モータドライバ回路１５２ＬおよびＬＥＤドライバ回路１５３Ｌが設けられている。左画像表示接続Ｃ基板１５０Ｌは、左第２液晶パネル１２１Ｌ、左電動モータ１３５Ｌおよび左第２液晶パネル１２１Ｌの前面に設けられた複数のＬＥＤ１２２Ｌとそれぞれのケーブルハーネスを用いて電気接続されている。画像ノイズ除去回路１５１Ｌは、画像制御信号に含まれるノイズを除去するフィルタ機能やバッファ機能を有して構成されている。画像ノイズ除去回路１５１Ｌは、左ＦＦＣ１２６Ｌを介して受信した画像制御信号に含まれるノイズを除去し、ノイズを除去した画像制御信号を左第２液晶パネル１２１Ｌに送信して、左第２液晶パネル１２１Ｌに遊技展開に応じた演出画像を表示させる。モータドライバ回路１５２Ｌは、左ＦＦＣ１２６Ｌを介して受信したモータ制御信号を左電動モータ１３５Ｌに送信して、左電動モータ１３５Ｌを駆動させる。ＬＥＤドライバ回路１５３Ｌは、左ＦＦＣ１２６Ｌを介して受信したＬＥＤ制御信号を複数のＬＥＤ１２２Ｌに送信して、複数のＬＥＤ１２２Ｌを発光させる。
【００４４】
左画像表示接続Ｃ基板１５０Ｌと同様に、右画像表示接続Ｃ基板１５０Ｒにも、画像ノイズ除去回路１５１Ｒ、モータドライバ回路１５２ＲおよびＬＥＤドライバ回路１５３Ｒが設けられている。右画像表示接続Ｃ基板１５０Ｒは、右第２液晶パネル１２１Ｒ、右電動モータ１３５Ｒおよび右第２液晶パネル１２１Ｒの前面に設けられた複数のＬＥＤ１２２Ｒとそれぞれのケーブルハーネスを用いて電気接続されている。画像ノイズ除去回路１５１Ｒは、画像制御信号に含まれるノイズを除去するフィルタ機能やバッファ機能を有し
て構成されている。画像ノイズ除去回路１５１Ｒは、右ＦＦＣ１２６Ｒを介して受信した画像制御信号に含まれるノイズを除去し、ノイズを除去した画像制御信号を右第２液晶パネル１２１Ｒに送信して、右第２液晶パネル１２１Ｒに遊技展開に応じた演出画像を表示させる。モータドライバ回路１５２Ｒは、右ＦＦＣ１２６Ｒを介して受信したモータ制御信号を右電動モータ１３５Ｒに送信して、右電動モータ１３５Ｒを駆動させる。ＬＥＤドライバ回路１５３Ｒは、右ＦＦＣ１２６Ｒを介して受信したＬＥＤ制御信号を複数のＬＥＤ１２２Ｒに送信して、複数のＬＥＤ１２２Ｒを発光させる。
【００４５】
また、右画像表示接続Ｃ基板１５０Ｒには、図１１に示すように、透過型の第１フォトセンサ１５５が実装されている。一方、左画像表示接続Ｃ基板１５０Ｌの右縁部には、右方に延びる第１検出部材１５６が取り付けられている。第１フォトセンサ１５５および第１検出部材１５６は、左右の第２液晶パネル１２１Ｌ，１２１Ｒがスライド移動して互いの距離が所定間隔になったときに、第１検出部材１５６が第１フォトセンサ１５５の発光素子と受光素子の間を遮る配置構成になっている。右画像表示接続Ｃ基板１５０Ｒは、第１フォトセンサ１５５において発光素子からの光が受光素子に届かなくなったことを検出すると、その検出信号を右ＦＦＣ１２６Ｒ等を介して副制御基板４１に送信する。副制御基板４１は、左右の電動モータ１３５Ｌ，１３５Ｒを回転駆動して左右の第２液晶パネル１２１Ｌ，１２１Ｒを互いに近づく方向にスライド移動させているときに、第１検出部材１５６の先端部によって第１フォトセンサ１５５の発光素子からの光が遮られて受光素子に届かなくなると、第１フォトセンサ１５５からの検出信号に基づいて左右の第２液晶パネル１２１Ｌ，１２１Ｒが近づいて所定間隔になったと判断し、左右の電動モータ１３５Ｌ，１３５Ｒの回転駆動を停止させる制御を行うようになっている。
【００４６】
ここで、ステッピングモータである電動モータ１３５Ｌ，１３５Ｒは、副制御基板４１から停止信号を送信しても、すぐには停止できず、数ステップ分のすべり（惰性）が生じる。そのため、左右の第２液晶パネル１２１Ｌ，１２１Ｒの間隔（距離）が、この惰性分に対応した間隔以上に離れている状態のときに第１フォトセンサ１５５により検出できるように、第１検出部材１５６の右方に延びる長さが設定されている。そのため、第２液晶ユニット１２０では、左右の第２液晶パネル１２１Ｌ，１２１Ｒを勢いよく衝突させることなく、左右の第２液晶パネル１２１Ｌ，１２１Ｒを近接させて閉じた状態にスライド移動させることができるようになっている。
【００４７】
図５等に示すように、ラック部材１３８の左端部の左斜め下方に、透過型の第２フォトセンサ１６１が設けられており、左電動モータ１３５Ｌの左方に、左方に延びる第２検出部材１６２が設けられている。左第２液晶パネル１２１Ｌが上下のスライドレール１３１Ｕ，１３１Ｄの左端部に近づいたときに、第２検出部材１６２が第２フォトセンサ１６１の発光素子と受光素子の間を遮る配置構成になっており、第２フォトセンサ１６１によって左第２液晶パネル１２１Ｌが上下のスライドレール１３１Ｕ，１３１Ｄの左端部にスライド移動された状態であることを検出できるようになっている。また、ラック部材１３８の右端部の右斜め下方には透過型の第３フォトセンサ１６５が設けられており、右電動モータ１３５Ｒの右方には、右方に延びる第３検出部材１６６が設けられている。右第２液晶パネル１２１Ｒが上下のスライドレール１３１Ｕ，１３１Ｄの左端部に近づいたときに、第３検出部材１６６が第３フォトセンサ１６５の発光素子と受光素子の間を遮る配置構成になっており、第３フォトセンサ１６５によって右第２液晶パネル１２１Ｒが上下のスライドレール１３１Ｕ，１３１Ｄの右端部にスライド移動された状態であることを検出できるようになっている。
【００４８】
右第２液晶パネル１２１Ｒの後面側上方には、電動ファン１７０が設けられ（図４を参照）、この電動ファン１７０と右第２液晶パネル１２１Ｒの後方空間とを繋ぐ空気通路（図示せず）が形成されている。この空気通路および電動ファン１７０により、右第２液晶
パネル１２１Ｒの後方空間に溜まった暖気を吸い出して、右第２液晶パネル１２１Ｒを冷却させるように構成されている。また、右第２液晶パネル１２１Ｒの後方空間と左第２液晶パネル１２１Ｌの後方空間とは繋がっているため、上記通気通路および電動ファン１７０により、左第２液晶パネル１２１Ｌの後方空間に溜まった暖気も吸い出して、左第２液晶パネル１２１Ｌの冷却も行うことができるように構成されている。
【００４９】
このように構成された演出表示装置１００によれば、第２液晶ユニット１２０において、左右の第２液晶パネル１２１Ｌ，１２１Ｒに接続されるケーブルハーネスとしてフレキシブルフラットケーブル１２６Ｌ，１２６Ｒが用いられている。また、ＦＦＣ１２６Ｌ，１２６Ｒが、左右の第２液晶パネル１２１Ｌ，１２１Ｒのスライド移動範囲における略中央部に形成されたケーブル挿通孔１４６に集合され、このケーブル挿通孔１４６から左右に分かれて左右の第２液晶パネル１２１Ｌ，１２１Ｒにそれぞれ接続されている。このようにＦＦＣ１２６Ｌ，１２６Ｒを一旦中央部に集合させてから左右の第２液晶パネル１２１Ｌ，１２１Ｒに接続させる構成であるため、図１３に示すように、左右の第２液晶パネル１２１Ｌ，１２１Ｒが左右方向のどの位置にスライド移動しても、ＦＦＣ１２６Ｌ，１２６Ｒが第２液晶パネル１２１Ｌ，１２１Ｒのスライド移動を邪魔することなく、左右の第２液晶パネル１２１Ｌ，１２１Ｒを円滑にスライド移動させることができる。また、上記配線構成により、ＦＦＣ１２６Ｌ，１２６Ｒが移動機構部等に接触して損傷することも軽減され、不具合の起きにくい構造とすることができる。
【００５０】
また、第２液晶ユニット１２０において、右第２液晶パネル１２１Ｒとともにスライド移動する右画像表示接続Ｃ基板１５０Ｒに第１フォトセンサ１５５が設けられ、左第２液晶パネル１２１Ｌとともにスライド移動する左画像表示接続Ｃ基板１５０Ｌに第１検出部材１５６が設けられている。そして、左右の第２液晶パネル１２１Ｌ，１２１Ｒがスライド移動して互いに近づいたときに、第１検出部材１５６が第１フォトセンサ１５５の発光素子と受光素子の間を遮るように配置構成され、第１フォトセンサ１５５からの検出信号に基づいて、左右の第２液晶パネル１２１Ｌ，１２１Ｒを近接させるスライド移動制御を行うように構成されている。このような構成のため、左右の第２液晶パネル１２１Ｌ，１２１Ｒの互いの位置を管理することなく、円滑に左右の第２液晶パネル１２１Ｌ，１２１Ｒを近接させて閉じた状態にスライド移動させることができる。
【００５１】
次に、このように構成される遊技盤１０において行われる遊技方法および制御の流れについて説明する。発射機構により遊技盤１０の遊技領域ＰＡに打ち出された遊技球は、複数の遊技釘や風車に当たりながらその当たり方に応じた方向へ流下する。そして、一般入賞装置１３、始動入賞装置１４、大入賞装置１５の各入賞口に遊技球が流入すると、その入賞装置の種類に応じた所定数の賞球が上球皿６もしくは下球皿７に払い出される。一般入賞装置１３等のいずれかの入賞口に流入した遊技球は、セーフ球として遊技盤１０の後面側に排出されて処理される。一方、いずれの入賞口にも流入しなかった遊技球は、アウト口１８からアウト球として遊技盤１０の後面側に排出されて処理される。
【００５２】
遊技球が始動入賞装置１４の始動入賞口に流入すると、後述する遊技制御装置２００において当否抽選が行われ、図柄表示装置２５において特別図柄が変動表示され、演出表示装置１００において装飾図柄が変動表示される。特別図柄、装飾図柄の変動表示は、表示に先だって決定された表示時間の経過後に停止される。
【００５３】
特別図柄は、その変動開始から停止までの変動態様が定められた変動パターンにしたがって変動表示される。装飾図柄は、その変動開始から停止までの変動態様が定められた変動演出パターンにしたがって変動表示される。変動パターンおよび変動演出パターンはそれぞれ複数種類ずつ用意され、それぞれが長短様々な変動時間を有している。変動パターンにしたがって特別図柄が変動表示される間、同じ変動時間を有する変動演出パターンに
したがって装飾図柄が変動表示される。変動パターンには、その図柄変動の終了条件としてパターンごとに変動表示時間が定められており、その変動表示時間の経過時に特別図柄および装飾図柄の変動が停止される。
【００５４】
装飾図柄の変動表示としては、例えば、変動開始とともにスロットマシンのリール回転のように３列とも図柄を変動させ、変動終了タイミングへ近づいたときに一列ずつ停止させることで最終的な停止態様としての図柄組合せを表示する。停止時の特別図柄および装飾図柄が大当りを示す停止態様となった場合には、通常遊技よりも遊技者に有利な遊技状態である特別遊技に移行し、大入賞装置１５（大入賞口）の開閉動作が開始される。大当りを示す装飾図柄の停止態様は、例えば３つの図柄の種類が一致する組合せの態様である。
【００５５】
変動演出パターンには、通常外れ演出パターン、リーチ外れ演出パターン、リーチ大当り演出パターンが含まれる。通常外れ演出パターンは、通常の外れの図柄組合せを表示するときの演出パターンである。リーチ外れ演出パターンは、あと一つ図柄が揃えば大当りとなる状態であるリーチ状態を経て外れの図柄組合せを表示するときの演出パターンである。リーチ大当り演出パターンは、リーチ状態を経て大当りの図柄組合せを表示するときの演出パターンである。特に、リーチ状態を経るときのパターンとしては、長短様々な変動時間をもつパターンが含まれ、相対的に変動時間の短いリーチパターンを「ノーマルリーチ」と称し、変動時間の長いリーチパターンを「スーパーリーチ」と称する。
【００５６】
当否抽選が大当りに該当した場合は特別遊技が実行される。特別遊技は、開始デモと呼ばれる演出画面の表示によって開始される。開始デモの画面表示後に大入賞装置１５の大入賞口が開放され、その開放が例えば約３０秒間続いた後、もしくは９球以上の遊技球が流入した後で一旦閉鎖される。このような大入賞口の開放から閉鎖までが、基本的には単位遊技と呼ばれるが、１回の単位遊技の間に複数回の短時間の開放を繰り返す場合があってもよい。大入賞口の開閉（単位遊技）が所定の複数回数、例えば１６回繰り返された後、終了デモ時間と呼ばれる演出画面の表示によって特別遊技が終了される。
【００５７】
特別遊技が発生した場合であって抽選などの所定の条件が満たされた場合に、その特別遊技が終了した後の通常遊技において、特定遊技の一つである特別図柄および装飾図柄の時短遊技が開始される。この時短遊技（以下、「時短」と称する）は、特別図柄および装飾図柄の変動表示時間が通常状態よりも短縮された状態となる遊技である。特別図柄および装飾図柄の変動時間は、所定の変動回数、例えば１００回の変動表示がなされた後で元の変動時間に戻されるが、その変動回数に達する前に大当りが発生すれば時短も終了する。時短により特別図柄および装飾図柄の変動時間が短縮されるため、通常の変動時間のまま図柄変動がなされる通常状態の場合と比べて、大当りが発生するまでの時間を短縮することができ、大当りの獲得容易性を相対的に高めることができる。
【００５８】
次に、ぱちんこ遊技機ＰＭの遊技制御構成について図１４を用いて説明する。ぱちんこ遊技機ＰＭは、上述した主制御基板４０および副制御基板４１からなる遊技制御装置２００を備えて構成される。遊技制御装置２００は、遊技の基本動作や遊技の進行を含むぱちんこ遊技機ＰＭの全体動作を制御する主制御基板４０と、装飾図柄の変動表示や電飾等の演出全般を制御する副制御装置４１とに機能を分担させた形態で構成されている。遊技制御装置２００は、ハードウエア的にはデータやプログラムを格納するＲＯＭやＲＡＭ、演算処理に用いるＣＰＵ等の電子部品を有して構成される。遊技制御装置２００は、始動入賞装置１４、大入賞装置１５、一般入賞装置１３、図柄表示装置２５、演出表示装置１００、操作ボタン９、スピーカおよび電飾装置とそれぞれ電気接続されており、各種制御信号の送受信が可能になっている。
【００５９】
主制御基板４０は、入球判定手段２１０、抽選手段２２６、保留制御手段２１６、メイン表示制御手段２１８、特別遊技制御手段２２０、特定遊技実行手段２２２、開閉制御手段２２４および条件保持手段２７６を備えて構成される。副制御基板４１は、パターン記憶手段２３０、図柄態様決定手段２３１、演出決定手段２３２および演出表示制御手段２３４を備えて構成される。
【００６０】
なお、主制御基板４０を構成する上記各手段（各機能ブロック）のうちいずれかが、主制御基板４０ではなく副制御基板４１に搭載されるかたちで構成されてもよい。同様に、副制御基板４１を構成する各手段のうちいずれかが、副制御基板４１ではなく主制御基板４０に搭載されるかたちで構成されてもよい。ただし、主制御基板４０と副制御基板４１の間におけるデータ（信号）の送受信は、主制御基板４０から副制御基板４１への一方向であるため、このような一方向でのデータ送受信にて全体動作が実現されるように各手段（機能ブロック）が主制御基板４０と副制御基板４１に配置される。このように主制御基板４０から副制御基板４１へのデータ送信の一方向性が保たれるため、副制御基板４１を構成する各手段から主制御基板４０を構成する各手段へはデータを送信することができず、データ送信の要求もできない。したがって、主制御基板４０で生成された情報は、主制御基板４０が副制御基板４１へ一方的に送信しない限り副制御基板４１から参照することはできない。
【００６１】
入球判定手段２１０は、各入賞装置への遊技球の入球を判定する。入球判定手段２１０は、始動入賞信号を受け取ると遊技球が始動入賞装置１４に入賞したと判断する。また、入球判定手段２１０は、大入賞信号を受け取ると遊技球が大入賞装置１５に入賞したと判断し、一般入賞信号を受け取ると遊技球が一般入賞装置１３に入賞したと判断する。
【００６２】
抽選手段２２６は、「特別図柄抽選手段」として機能する。抽選手段２２６は、抽選値取得手段２１２、当否判定手段２１３およびパターン決定手段２１４を有し、始動入賞装置１４への入賞（始動入賞口への入球）に対応する特別図柄抽選としての当否抽選を実行する。当否抽選の結果は、図柄表示装置２５において特別図柄の変動表示の形で示されるとともに、演出表示装置１００において装飾図柄の変動表示の形で示される。抽選手段２２６は、図柄変動を開始するにあたり、その図柄変動に対応する抽選の結果を演出決定手段２３２へ送信する。
【００６３】
抽選値取得手段２１２は、始動入賞装置１４への入賞（始動入賞口への入球）を契機に、当否抽選のために乱数の値を当否抽選値（「特図抽選値」ともいう）として取得する。例えば、当否抽選のために当否抽選値として取得する値は「０」から「６５５３５」までの値の範囲から取得される。なお、この「乱数」は、数学的に発生させる乱数でなくてもよく、ハードウエア乱数やソフトウエア乱数などにより発生させる疑似乱数でもよい。当否抽選値として取得された値は、保留制御手段２１６により一時的に保留される。ただし、保留制御手段２１６により保留される所定の保留上限数を超えない範囲で当否抽選値が保留される。
【００６４】
当否判定手段２１３は、当否抽選値に基づき、通常遊技より遊技者に有利な状態である特別遊技へ移行するか否かを判定する当否判定を実行する。当否判定手段２１３は、当否判定で参照する当否テーブルを複数保持する。複数の当否テーブルには、大当り、外れの判定結果と当否抽選値とが対応付けられており、対応付けられた当りの範囲設定に応じて当否確率が定まる。当否判定手段２１３は、遊技状態に応じて複数の当否テーブルのうちいずれかを参照し、当否抽選値が大当りであるか否かを判定する。
【００６５】
当否判定手段２１３は、別途取得する図柄抽選値と当否判定の結果に基づいて、図柄の変動開始にあたってその停止図柄、すなわち図柄変動の終了時に表示すべき特別図柄の停
止態様を決定する。当否判定手段２１３は、特別図柄の停止図柄を決定するために参照する図柄判定テーブルを保持する。なお、当否判定手段２１３は、複数の遊技状態に対応した複数の図柄判定テーブルを保持し、参照対象のテーブルを、現在の遊技状態に応じたテーブルへ適宜切り替えるようにしてもよい。
【００６６】
当否抽選結果が大当りの場合に、当否判定手段２１３は、特別図柄の停止図柄、すなわち大当り図柄として、「１」〜「４」のいずれかをそれぞれ１／４の確率で選択する。ここで、特別図柄「１」および「２」はラウンド数１６の特別遊技と対応づけられている一方、特別図柄「３」および「４」はラウンド数８の特別遊技と対応づけられている。また、特別図柄「１」および「３」には時短ありが対応づけられ、特別遊技終了後に時短へ移行される。一方、特別図柄「２」および「４」には時短なしが対応づけられ、特別遊技終了後に時短へ移行されない。本実施形態では、当否抽選結果が大当りになることに伴う時短突入率は５０％となる。なお、図柄判定テーブルは、当否・図柄抽選値・特別図柄の対応関係を定め、特別図柄・ラウンド数・時短の対応関係は別のテーブルにて規定されてもよい。
【００６７】
パターン決定手段２１４は、図柄表示装置２５および演出表示装置１００に表示させる図柄変動の表示過程が定められた変動パターンを、別途取得するパターン抽選値に基づいて複数の変動パターンの中から決定する。第１パターン決定手段２１４は、図柄変動を開始する際に変動パターンテーブルを参照して、当否抽選結果および停止図柄判定結果に応じた図柄変動の変動パターンを決定する。パターン決定手段２１４は、決定した変動パターンを演出決定手段２３２へ通知することで、変動パターンに対応する演出パターンを演出決定手段２３２に選択させる。パターン決定手段２１４は、変動パターンを決定するために参照する変動パターンテーブルを複数保持する。
【００６８】
変動パターンには、特別図柄を変動表示させるときの変動開始から停止までの変動態様が定められており、その種類によって長短様々な変動時間をもつ。すなわち、各変動パターンには、その図柄変動の終了条件としてパターンごとに変動表示時間が定められており、その変動表示時間の経過時に特別図柄の変動が停止される。例えば、変動パターンには、外れ用の演出に対応するパターン、ノーマルリーチの演出に対応するパターン（比較的短いリーチ演出時間を確保するためのパターン）、スーパーリーチの演出に対応するパターン（比較的長いリーチ演出時間を確保するためのパターン）、大当り告知用の演出に対応するパターン、小当り告知用の演出に対応するパターン等が含まれる。
【００６９】
保留制御手段２１６は、新たに抽選が実行されるときにそれ以前の抽選に対応する図柄変動が表示されている場合に、新たな抽選の結果をその抽選に対応する図柄の変動表示開始まで保留する。その保留数は図柄表示装置２５に設けられた特別図柄保留ランプの点灯数または点滅数により表される。
【００７０】
メイン表示制御手段２１８は、特図制御手段２４８を有して構成される。特図制御手段２４８は、抽選手段２２６による抽選の結果として決定された変動パターンにしたがって特別図柄の変動を図柄表示装置２５に表示させる。特図制御手段２４８は、それ以前になされた抽選に対応する図柄の変動表示が終了していることを新たな図柄変動の開始条件とする。特図制御手段２４８は、特別図柄の変動表示を開始するタイミングと停止するタイミングにて、変動開始コマンドと変動停止コマンドを演出表示制御手段２３４へ送信する。これにより、メイン表示制御手段２１８および演出表示制御手段２３４による変動表示が同期し、連動が保たれる。
【００７１】
条件保持手段２７６は、特別遊技作動条件保持手段２７８を有して構成される。特別遊技作動条件保持手段２７８は、大入賞装置１５（第１大入賞口）の開放を伴う単位遊技を
複数回含む特別遊技へ移行するための特別遊技作動条件を保持する。特別遊技作動条件保持手段２７８は、当否抽選が特別遊技への移行を示す結果となり、特別図柄が所定の大当り態様で停止されることを、その特別遊技作動条件として保持する。
【００７２】
特別遊技制御手段２２０は、抽選手段２２６による当否抽選が特別遊技への移行を示す結果となった場合に、特別図柄が所定の大当り態様で停止されたときに特別遊技作動条件が成立したと判定し、大入賞装置１５（第１大入賞口）を開放させることにより特別遊技を実行する。
【００７３】
特別遊技は、大入賞装置１５の大入賞口（スライド扉）の開閉動作を複数回数連続して継続する遊技であり、１回の開閉を単位とした複数回の単位遊技で構成される。特別遊技制御手段２２０は、１回の単位遊技において大入賞口を約３０秒間開放させる。特別遊技における大入賞口のトータルの開放時間（総開状態時間）は、長期開放遊技と短期開放遊技とを区別するために予め定めた開放基準時間（本実施形態では２秒）以上となっている。特別遊技制御手段２２０は、単位遊技の設定ラウンド数を消化したときに特別遊技を終了させる。
【００７４】
本実施形態の特別遊技制御手段２２０は、抽選手段２２６による当否抽選が特別遊技への移行を示す結果となった場合に、上述した当否判定手段２１３により決定された大当り図柄に予め対応づけられたラウンド数分の単位遊技を上限とした特別遊技を実行する。すなわち、大当り図柄が「１」または「２」の場合（確率５０％）に１６回の単位遊技を含む１６Ｒ特別遊技を実行し、大当り図柄が「３」または「４」の場合（確率５０％）に８回の単位遊技を含む８Ｒ特別遊技を実行する。
【００７５】
特定遊技実行手段２２２は、時短状態、すなわち入球容易状態であり特定遊技状態における通常遊技を制御する。特定遊技実行手段２２２は、特別図柄の大当りによる特別遊技が終了すると、その大当り図柄に応じて、通常遊技の遊技状態を時短状態へ移行させる。例えば、特定遊技実行手段２２２は、上述した大当り図柄と時短の有無とを対応づけた時短移行判定テーブルを参照して、特別遊技終了後の時短への移行有無を決定してもよい。時短状態は、特別図柄の変動表示回数の合計が特別遊技の終了時点から数えて所定の終了条件回数、例えば１００回に達するまで継続される。また、特別図柄の変動表示時間が概ね短くなるように、パターン決定手段２１４が変動時間の短い変動パターンを選択する。
【００７６】
開閉制御手段２２４は、大入賞装置１５のスライド扉の開閉作動を制御する。開閉制御手段２２４は、特別遊技においては大入賞ソレノイド１５ｂに開放指示を送り、大入賞装置１５のスライド扉を開放作動させる。
【００７７】
パターン記憶手段２３０は、装飾図柄の変動において演出表示装置１００に表示させる演出的な画像内容とその表示過程が定められた複数の演出パターンを保持する。演出パターンには、装飾図柄の変動表示における変動開始から停止までの変動過程と演出過程が定められた複数の変動演出パターンと、装飾図柄の変動表示とは別に表示されて大当りへの期待度の高さを変動表示の停止前に予告的に示唆する複数の予告演出パターンとが含まれる。
【００７８】
演出決定手段２３２は、抽選手段２２６から受け取る抽選の結果に応じて、演出表示制御手段２３４によって演出表示装置１００へ表示させる演出内容を決定する。演出決定手段２３２は、パターン決定手段２１４により決定された特別図柄の変動パターンに対応する複数の変動演出パターンデータの中からいずれかを選択してパターン記憶手段２３０から読み出す。演出決定手段２３２は、読み出した変動演出パターンの情報を演出表示制御手段２３４へ送る。演出決定手段２３２は、変動演出パターンを選択するために参照すべ
きパターンテーブルを保持する。各変動演出パターンには、その図柄変動の終了条件としてパターンごとに変動時間が定められており、その変動時間の経過時に図柄変動が停止される。演出決定手段２３２は、特別図柄の変動パターンに応じて、変動時間が等しい演出画像の変動演出パターンを選択する。
【００７９】
図柄態様決定手段２３１は、装飾図柄の停止図柄の組合せとその配置を、抽選手段２２６による抽選の結果、特別図柄の停止図柄、特別図柄の変動パターン、装飾図柄の変動演出パターンに応じて決定する。図柄態様決定手段２３１は、決定した停止図柄の組合せを示す情報を演出表示制御手段２３４へ送信する。図柄態様決定手段２３１は、装飾図柄の停止図柄を決定するために参照すべき図柄範囲テーブルを保持する。
【００８０】
装飾図柄の停止図柄は、３つの図柄の組合せとして形成され、例えば当否判定手段２１３による当否判定結果が１６Ｒ大当りや８Ｒ大当りの特別遊技への移行を示す場合には、特定の組合せ、例えば「７７７」や「１１１」のように３つの図柄が揃った組合せが選択される。当否判定結果が大当りでない場合は、「３１２」や「９４６」のように３つの図柄が揃っていない組合せが選択される。当否判定結果が１６Ｒ大当りもしくは８Ｒ大当りではない場合であって、リーチ付きの外れを示す変動パターンが選択された場合は、「１９１」や「７２７」のように一つだけ図柄が揃っていない組合せを選択する。
【００８１】
装飾図柄の変動パターンには、装飾図柄の変動表示態様、すなわち装飾図柄の変動開始から変動停止までの演出過程が定義される。変動パターンには、通常の外れ図柄を表示するときのパターンと、あと一つ図柄が揃えば大当りとなるリーチ状態を経て外れ図柄を表示するときのパターンと、リーチ状態を経て大当り図柄を表示するときのパターンが含まれる。特に、リーチ状態を経るときのパターンとしては、長短様々な変動時間をもつパターンが含まれる。各変動パターンには、その図柄変動の終了条件としてパターンごとに変動時間が定められており、その変動時間の経過時に図柄変動が停止される。演出決定手段２３２は、特別図柄の変動パターンに応じて、特別図柄と変動時間が等しい装飾図柄の変動パターンを選択する。
【００８２】
予告演出パターンは、特定のキャラクタやモチーフの画像、アニメーション、映像などを一時的に画面表示させる演出パターンや、特定の音声を出力する演出パターンである。予告演出パターンによる演出は、図柄変動と並行して実行され、その図柄変動が大当り態様にて停止する期待度が高いことを予告的に示唆する。例えば、キャラクタの画像を一つだけ画面に表示させるだけの通常予告演出や、多数のキャラクタの群れを画面の一端から他端へ通過させるように表示させる群予告演出がある。また、予告演出の表示過程を複数段階に分け、表示させる段階数を可変にして段階数が多いほど大当りへの期待度が高くなるように設定されるステップアップ予告演出がさらに含まれる。予告演出パターンには、装飾図柄の表示態様がリーチ状態となった後のタイミングで演出が実行されて図柄の最終的な停止態様を予告するパターンと、装飾図柄が一つも停止していないタイミングで演出が実行されてリーチ状態となることを同時に予告するパターンとがある。
【００８３】
演出決定手段２３２は、当否抽選の結果に応じて演出表示装置１００に予告演出を表示させるか否かを所定の予告抽選により決定して事前演出設定をするとともに、表示させるべき予告演出パターンを決定する。演出決定手段２３２は、予告演出を表示させるか否かを決定するために参照すべき予告決定テーブルと、予告演出パターンの種類を選択するときに参照すべき予告種類テーブルとを保持する。予告決定テーブルは、当否抽選の結果に応じて異なる欄が参照されるように設定されており、当否抽選が当りの場合は外れの場合よりも高い確率で予告演出を表示させるように、当否抽選の結果と予告演出を表示するか否かの対応関係が定められる。これにより、予告演出が表示されること自体で大当りへの期待度の高さを示唆することができる。
【００８４】
演出表示制御手段２３４は、抽選手段２２６による当否抽選の結果として、選択された変動演出パターンデータにしたがって演出表示装置１００へ装飾図柄を含む演出画像を変動表示させる。演出表示制御手段２３４は、装飾図柄の変動開始コマンドを受け取ったときに新たな図柄変動を開始させる。また、演出表示制御手段２３４は、予告演出を表示させる旨が演出決定手段２３２により決定された場合に、選択された予告演出パターンにしたがった予告演出を図柄変動の演出に重畳させる形で演出表示装置１００へ表示させる。演出表示制御手段２３４は、電飾装置の点灯および消灯や、スピーカからの音声出力などの演出処理をさらに制御する。
【００８５】
これまで本発明の好ましい実施形態について説明してきたが、本発明の範囲はこれに限定されるものではない。例えば、上述の実施形態において、本発明が適用される遊技機の一例として、ぱちんこ遊技機を例示して説明したが、これに限定されるものではなく、例えば、アレンジボール遊技機、雀球遊技機、ＥＣＯ遊技機（封入式ぱちんこ遊技機）などの他の弾球遊技機についても同様に適用し、同様の効果を得ることができる。
【符号の説明】
【００８６】
ＰＭ    ぱちんこ遊技機（弾球遊技機）
ＰＡ    遊技領域
１０    遊技盤
１００  演出表示装置（画像表示装置）
１２０  第２液晶ユニット
１２１Ｌ  左第２液晶パネル（画像表示部）
１２１Ｒ  右第２液晶パネル（画像表示部）
１２６Ｌ  左フレキシブルフラットケーブル
１２６Ｒ  右フレキシブルフラットケーブル
１３０  スライド移動機構
１４６  ケーブル挿通孔
１５５  第１フォトセンサ（フォトセンサ）
１５６  第１検出部材（検出部材）
【図１】
0006520538.tif 000002
【図２】
0006520538.tif 000003
【図３】
0006520538.tif 000004
【図４】
0006520538.tif 000005
【図５】
0006520538.tif 000006
【図６】
0006520538.tif 000007
【図７】
0006520538.tif 000008
【図８】
0006520538.tif 000009
【図９】
0006520538.tif 000010
【図１０】
0006520538.tif 000011
【図１１】
0006520538.tif 000012
【図１２】
0006520538.tif 000013
【図１３】
0006520538.tif 000014
【図１４】
0006520538.tif 000015